(57)【要約】  【課題】  構成部材を削減し、位置決め及び施工を容易にし、取付強度の向上を図る。また、手摺ブラケットと支柱との美観の向上を図る。  【解決手段】  手摺ブラケット４０に、支柱２０の側方及び開口部を包囲する基部４１と、開口溝内を摺動可能に挿入される一対の係止片４４を有する固定部４３と、固定部の上下方向に突設される固定片４５を設け、上方カバー６０Ａ及び下方カバー６０Ｂは、手摺ブラケットの基部の断面形状と略同一の断面形状を有し、支柱の側方及び開口部を包囲するカバー本体６１と、支柱の開口溝内に摺動可能に挿入され、係合片に係合可能な取付片６２を有し、かつ、手摺ブラケットの固定片を隠蔽すべく支柱を包囲するように嵌装されて、手摺ブラケットの基部の表面と同一面上に位置してなり、この際、下方カバーの上端に手摺ブラケットの基部の下端を当接して、手摺ブラケットの位置決めを行うと共に、手摺ブラケットを支持する。【選択図】    図２
2005127022.tif 000002
【特許請求の範囲】
【請求項１】
適宜間隔をおいて互いに平行に配設される複数の支柱と、各支柱に摺動可能に取り付けられる手摺ブラケットと、この手摺ブラケットの固定部を隠蔽するカバーとを具備する手摺であって、
上記支柱は、長手通しの開口溝を有すると共に、開口溝の開口部の対向する両端が開口部の内方に向かって突設される一対の係合片を有するレール部材にて形成され、
上記手摺ブラケットは、上記支柱の側方及び開口部を包囲する基部と、この基部の裏面に突設されると共に、上記開口溝内に摺動可能に挿入される一対の係止片を有する固定部と、この固定部の上下方向に突設されて上記開口溝内に係止固定される固定片と、上記基部の表面に突設される笠木取付部とを具備し、
上記カバーは、上記手摺ブラケットの上方に位置する上方カバーと、手摺ブラケットの下方に位置する下方カバーとからなり、これら上方及び下方カバーは、上記手摺ブラケットの基部の断面形状と略同一の断面形状を有すると共に、上記支柱の側方及び開口部を包囲するカバー本体と、カバー本体の裏面に突設されて上記支柱の開口溝内に摺動可能に挿入され、上記係合片に係合可能な取付片を有し、かつ、上記手摺ブラケットの固定片を隠蔽すべく上記支柱を包囲するように嵌装されて、手摺ブラケットの基部の表面と同一面上に位置してなり、この際、上記下方カバーの上端に上記手摺ブラケットの基部の下端を当接して、手摺ブラケットの位置決めを行うと共に、手摺ブラケットを支持してなる、ことを特徴とする手摺。
【請求項２】
請求項１記載の手摺において、
上記支柱の開口溝は、壁面に当接する底部を有すると共に、底部の両端に段部を有する凹溝と、上記係合片と段部とで形成され、手摺ブラケットの係止片及びカバーの取付片を摺動可能に嵌合する嵌合溝とを具備することを特徴とする手摺。
【請求項３】
請求項１又は２記載の手摺において、
上記固定片に、この固定片を貫通するねじ孔を設け、このねじ孔にねじ部材を螺入し、ねじ部材の先端を開口溝の底面に押圧して、上記支柱と上記手摺ブラケットとを固定することを特徴とする手摺。
【請求項４】
請求項１記載の手摺において、
上記上方及び下方カバーは、手摺ブラケットの固定片が摺接して収容可能な凹条を具備することを特徴とする手摺。
【発明の詳細な説明】
【技術分野】
【０００１】
この発明は手摺に関するもので、更に詳細には、適宜間隔をおいて互いに平行に配設される支柱に手摺ブラケットを高さ調節可能に取り付けた手摺に関するものである。
【背景技術】
【０００２】
従来、この種の手摺として、壁などに備え付けられる少なくとも一対の平行なガイドレールと、この各ガイドレールに移動可能に各々組み付けられる脚柱を備えたグリップバーと、脚柱をガイドレールの所定位置に停止状態に保持するロック手段と、を備えた構造が知られている（例えば、特許文献１参照）。
【０００３】
また、手摺本体部と、この手摺本体部を上下移動可能に保持するガイド部とを具備し、ガイド部は、長手方向（上下方向）にスリットが設けられた長尺物と、手摺本体部が取り付けられると共に、長尺物のスリットに沿って移動可能なブラケット体とをねじ固定することで、長尺物の所定高さにブラケット体を取り付ける構造が知られている（例えば、特許文献２参照）。
【特許文献１】特開平９−２２１８９６号公報（特許請求の範囲、図１）
【特許文献２】特開２０００−１４５０８７（特許請求の範囲、図１）
【発明の開示】
【発明が解決しようとする課題】
【０００４】
しかしながら、前者すなわち特開平９−２２１８９６号公報に記載のものにおいては、ガイドレール及び脚柱にロック手段を設ける構造であるので、構造が複雑であり構成部材が多くなると共に、施工に手間を要するという問題がある。また、ガイドレールの開口部が露出しているので美観が損なわれるという問題がある。
【０００５】
また、後者すなわち特開２０００−１４５０８７に記載のものにおいては、ブラケット体は、長尺物の前面側に位置する前面板と長尺物の背面側に位置する背面板とを一対のねじで連結すると共に、前面板と背面板との間にスリット部を挟持することで長尺物に固定する構造であるので、構成部材が多くなると共に、施工に手間を要するという問題がある。また、ねじ止め部が露出するので美観が損なわれるという問題がある。また、平面視略コ字状の長尺物に、ブラケット体が取り付けられた平面視略Ｃ字状のスライド部を移動可能に嵌挿すると共に、スライド部に螺着されたねじ部材を長尺物にねじ込むことで長尺物にスライド部を取り付ける構造の別の形態もあるが、これにおいても、ねじ止め部が露出するために美観を損なうという問題がある。また、特開２０００−１４５０８７に記載のものにおいては、長尺物に対してブラケット体（スライド部）が突出した状態で取り付けられているので、手摺取付部の美観が損なわれるという問題がある。
【０００６】
この発明は、上記事情に鑑みてなされたもので、構成部材を削減し、位置決め及び施工を容易にすると共に、取付強度の向上を図り、また、手摺ブラケットと支柱とに一体感を持たせて美観の向上を図るようにすることを課題とする。
【課題を解決するための手段】
【０００７】
上記課題を解決するために、この発明は、適宜間隔をおいて互いに平行に配設される複数の支柱と、各支柱に摺動可能に取り付けられる手摺ブラケットと、この手摺ブラケットの固定部を隠蔽するカバーとを具備する手摺であって、  上記支柱は、長手通しの開口溝を有すると共に、開口溝の開口部の対向する両端が開口部の内方に向かって突設される一対の係合片を有するレール部材にて形成され、  上記手摺ブラケットは、上記支柱の側方及び開口部を包囲する基部と、この基部の裏面に突設されると共に、上記開口溝内を摺動可能に挿入される一対の係止片を有する固定部と、この固定部の上下方向に突設されて上記開口溝内に係止固定される固定片と、上記基部の表面に突設される笠木取付部とを具備し、  上記カバーは、上記手摺ブラケットの上方に位置する上方カバーと、手摺ブラケットの下方に位置する下方カバーとからなり、これら上方及び下方カバーは、上記手摺ブラケットの基部の断面形状と略同一の断面形状を有すると共に、上記支柱の側方及び開口部を包囲するカバー本体と、カバー本体の裏面に突設されて上記支柱の開口溝内に摺動可能に挿入され、上記係合片に係合可能な取付片を有し、かつ、上記手摺ブラケットの固定片を隠蔽すべく上記支柱を包囲するように嵌装されて、手摺ブラケットの基部の表面と同一面上に位置してなり、この際、上記下方カバーの上端に上記手摺ブラケットの基部の下端を当接して、手摺ブラケットの位置決めを行うと共に、手摺ブラケットを支持してなる、ことを特徴とする（請求項１）。
【０００８】
この発明において、上記支柱の開口溝を、壁面に当接する底部を有すると共に、底部の両端に段部を有する凹溝と、上記係合片と段部とで形成され、手摺ブラケットの係止片及びカバーの取付片を摺動可能に嵌合する嵌合溝とで構成する方が好ましい（請求項２）。
【０００９】
また、上記固定片に、この固定片を貫通するねじ孔を設け、このねじ孔にねじ部材を螺入し、ねじ部材の先端を開口溝の底面に押圧して、上記支柱と上記手摺ブラケットとを固定する方が好ましい(請求項３)。
【００１０】
また、上記上方及び下方カバーに、手摺ブラケットの固定片が摺接して収容可能な凹条を設ける方が好ましい(請求項４)。
【発明の効果】
【００１１】
この発明の手摺は、上記のように構成されているので、以下のような効果が得られる。
【００１２】
（１）請求項１記載の発明によれば、手摺ブラケットを、支柱の側方及び開口部を包囲する基部と、この基部の裏面に上記開口溝と略同一の断面形状に形成され開口溝内を摺動可能に挿入される一対の係止片を有する固定部と、この固定部の上下方向に突設される固定片と、基部の表面に突設される笠木取付部とで一体に形成されているので、構成部材の削減を図ることができる。また、カバーを、手摺ブラケットの基部の断面形状と略同一の断面形状を有すると共に、支柱の側方及び開口部を包囲するカバー本体と、カバー本体の裏面に突設されて支柱の開口溝内に摺動可能に挿入される一対の取付片とで形成することにより、支柱を包囲するように嵌装した状態において、手摺ブラケットの固定片を隠蔽すると共に、手摺ブラケットの基部の表面と同一面上に位置するように形成することができるので、手摺ブラケットと支柱とに一体感を持たせて美観の向上を図ることができる。また、下方カバーの上端に手摺ブラケットの基部の下端を当接して、手摺ブラケットを支持するので、手摺ブラケットの位置決めを容易に行うことができ、また、手摺ブラケットに伝達される荷重を分散させることができ、取付強度の向上を図ることができる。
【００１３】
（２）請求項２記載の発明によれば、支柱の開口溝を、壁面に当接する底部を有すると共に、底部の両端に段部を有する凹溝と、係合片と段部とで形成され、手摺ブラケットの係止片及びカバーの取付片を摺動可能に嵌合する嵌合溝とで構成することにより、支柱自体に強度を持たせることができるので、上記（１）に加えて更に強度の向上を図ることができる。
【００１４】
（３）請求項３記載の発明によれば、手摺ブラケットの固定片に設けられたねじ孔にねじ部材を螺入し、ねじ部材の先端を開口溝の底面に押圧して、固定部の係止片を支柱の係合片に圧接することにより、支柱と手摺ブラケットとのガタツキを防ぐことができる。したがって、上記（１），（２）に加えて更に強度の向上を図ることができる。
【００１５】
（４）請求項４記載の発明によれば、上方及び下方カバーに、手摺ブラケットの固定片が摺接して収容可能な凹条を設けることにより、支柱の凹溝内に係合した状態で挿入される手摺ブラケットとカバーとを密接することができるので、上記（１）に加えて更に支柱と手摺ブラケット及びカバーとを密接させて一体感を持たせることができ、強度の向上を図ることができる。
【発明を実施するための最良の形態】
【００１６】
以下に、この発明の最良の実施形態を添付図面に基づいて詳細に説明する。ここでは、例えば腰壁が取り付けられる壁面に手摺を設置した場合について説明する。
【００１７】
＜第１実施形態＞
図１は、この発明に係る手摺を設置した腰壁の一例を示す概略斜視図、図２は、手摺の取付状態を示す斜視図、図３は、図２のＩ−Ｉ線に沿う断面図（ａ）及び、II−II線に沿う断面図（ｂ）及び、III−III線に沿う断面図（ｃ）、図４は、手摺の分解斜視図である。
【００１８】
上記腰壁は、図１に示すように、例えば廊下の床面１より所定高さの壁面２まで配設される腰壁パネル１０と、この腰壁パネル１０の上端部に当接すべく壁面２に横設される見切り材３２と、腰壁パネル１０の下端部表面を被覆すべく横設される幅木材３１とで構成されている。この場合、腰壁は、壁３の出隅部に形成されており、各壁面２に形成された腰壁パネル１０の出隅部側は、出隅部に配設されるコーナーパネル７０に当接されている。
【００１９】
上記手摺は、腰壁の一部を構成すべく適宜間隔をおいて腰壁パネル１０の間に互いに平行に取り付けられる複数の支柱２０と、各支柱２０に摺動可能に取り付けられる手摺ブラケット４０と、手摺ブラケット４０に横架される笠木５０と、支柱２０に取り付けられる手摺ブラケット４０の取付部を隠蔽するカバー６０とで主に構成されている。
【００２０】
上記腰壁パネル１０は、例えば硬質塩化ビニル、ＡＢＳ樹脂等の合成樹脂製板材にて形成されており、壁３の横方向（水平方向）に列設されて壁面２に接着されて腰壁を構成している。この場合、各腰壁パネル１０は、例えば、図７に示すように、幅方向の左右端部に、それぞれ略クランク状の接合段部１１が形成されており、左右に隣接する腰壁パネル１０の接合段部１１を若干ずらして接合した状態で、壁面２に接着することで、腰壁パネル１０間に縦方向に延びる目地部１２が形成されている。
【００２１】
また、図８に示すように、各腰壁パネル１０の左右端部に略クランク状の接合段部１１を形成すると共に、腰壁パネル１０の中央部に縦方向に延びる目地部１２と同じ幅の目地模様溝１２Ｂを形成して、隣接する腰壁パネル１０間に形成される目地部１２間に目地模様溝１２Ｂを設けるようにしてもよい。
【００２２】
上記支柱２０は、例えば、アルミニウム合金製の押出形材にて形成されるレール部材にて形成されている。この支柱２０は、図２ないし図５に示すように、長手通しの開口溝２１が形成されており、開口溝２１の対向する左右端に先端が開口の内方に向かって突設される一対の係合片２２が形成され、両係合片２２の基端部に段部２５を介して連続すると共に、壁面２に取り付けられる底部２４を有する凹溝２３が形成されている。この場合、係合片２２と段部２５とで、後述する手摺ブラケット４０の係止片４４及びカバー６０の取付片６２が摺動可能に挿入される一対の嵌合溝２６が形成されている。このように、支柱２０の開口溝２１を、凹溝２３と一対の嵌合溝２６とで形成することにより、支柱２０自体に強度を持たせることができる。
【００２３】
なお、段部２５によって壁面２との間に腰壁パネル１０の端部を嵌装することで、支柱２０又は腰壁パネル１０を壁面２に取り付ける際の位置決めを容易にすることができると共に、腰壁パネル１０の端部を隠蔽することができるので美観の向上を図ることができる（図３参照）。
【００２４】
上記手摺ブラケット４０は、図２ないし図６に示すように、支柱２０の側方を包囲する包囲片４２を有すると共に、開口溝２１を包囲する基部４１と、この基部４１の裏面に突設されると共に、開口溝２１の嵌合溝２６内に摺動可能に挿入される一対の係止片４４を有する固定部４３と、この固定部４３の上下方向に突設されて開口溝２１内にねじ部材４８によって係止固定される固定片４５と、基部４１の表面に突設される笠木取付部４７とで構成されている。
【００２５】
この場合、基部４１より上方側の固定片４５の略中央部には、ねじ孔４６が設けられており、このねじ孔４６に、ねじ部材である例えば六角孔付きのねじからなる押しねじ４８が螺入可能に形成されている。なお、基部４１の包囲片４２は、係合片２２を包囲すると共に、外方へ向かって傾斜するように形成されている。また、笠木取付部４７は、基部４１の表面略中央から略水平に突出する水平片４７ａと、この水平片４７ａの先端から略垂直状に起立する垂直片４７ｂとからなる略Ｌ字状に形成されている。
【００２６】
上記のように構成される手摺ブラケット４０は、例えばアルミニウム合金ダイキャストによって形成されている。この手摺ブラケット４０は、支柱２０の嵌合溝２６に係止片４４を挿入した状態で支柱２０に沿って摺動することができるようになっている。また、手摺ブラケット４０は、支柱２０の所定箇所すなわち後述する下方カバー６０Ｂの上端まで摺動（移動）した状態で、固定片４５に設けられたねじ孔４６に、押しねじ４８を螺入し、押しねじ４８の先端が凹溝２３の底面を押圧することによって、係止片４４が係合片２２に圧接されて、手摺ブラケット４０が支柱２０にガタツキなく固定される。
【００２７】
一方、上記カバー６０は、図２、図３及び図５に示すように、手摺ブラケット４０の上方側に位置する上方カバー６０Ａと、手摺ブラケット４０の下方側に位置する下方カバー６０Ｂとで形成されている。この場合、上方カバー６０Ａと下方カバー６０Ｂは、断面形状及び材質は同一であり、例えば硬質塩化ビニル、ＡＢＳ樹脂等の合成樹脂製部材にて形成されている。
【００２８】
上方カバー６０Ａ及び下方カバー６０Ｂは、図５に示すように、手摺ブラケット４０の基部４１と略同一断面形状を有すると共に、支柱２０の側方及び開口部を包囲するカバー本体６１と、このカバー本体６１の長手方向に沿った裏面略中央に突出して支柱２０の開口溝２１の嵌合溝２６内に摺動可能に挿入され、係合片２２に係合可能な一対の取付片６２とで構成されている。また、上方及び下方カバー６０Ａ，６０Ｂには、手摺ブラケット４０の固定片４５が摺接して収容可能な凹条６３が形成されている（図３（ｂ）及び図４参照）。
【００２９】
このように構成される上方及び下方カバー６０Ａ，６０Ｂは、支柱２０の開口溝２１及び係合片２２を包囲するように嵌装される。具体的には、取付片６２を支柱２０の嵌合溝２６内に摺動可能に挿入されて、カバー本体６１が支柱２０の開口溝２１及び係合片２２を包囲すると共に、手摺ブラケット４０の固定片４５を隠蔽するように嵌装されて、手摺ブラケット４０の基部４１の表面と同一面上に位置する。この場合、まず、下方カバー６０Ｂを支柱２０の長手方向の端部側から挿入して摺動させて下端を幅木材３１の上辺に当接させた状態で嵌装する。次に、手摺ブラケット４０を支柱２０の長手方向の端部側から挿入して摺動させて、下方側の固定片４５を、下方カバー６０Ｂの凹条６３内に摺動させて収容すると共に、基部４１の下端を下方カバー６０Ｂの上端に当接する。これにより、手摺ブラケット４０の高さ位置の位置決めが行われる。そして、手摺ブラケット４０の上方側の固定片４５に設けられたねじ孔４６に押しねじ４８を螺入して手摺ブラケット４０を固定した後、上方カバー６０Ａを支柱２０に嵌装して手摺ブラケット４０の基部４１の上端に当接することで、カバー６０の表面と手摺ブラケット４０の基部４１の表面と同一面上に位置される。なお、この場合、下方カバー６０Ｂの長さを変更することで、手摺ブラケット４０の高さを容易に変更することができる。
【００３０】
したがって、手摺ブラケット４０の固定片４５を隠蔽すると共に、手摺ブラケット４０とカバー６０とが連続した一体感を持たせることができるので、美観の向上を図ることができる。
【００３１】
また、下方カバー６０Ｂの上端に手摺ブラケット４０を当接することで手摺ブラケット４０の位置決めを容易に行うことができると共に、下方カバー６０Ｂによって手摺ブラケット４０を支持することができるので、手摺ブラケット４０から伝達される荷重を分散させることができ、手摺ブラケット４０の取付強度の向上を図ることができる。
【００３２】
次に、手摺の施工手順について説明する。まず、床面１より所定高さ、すなわち腰のあたりの高さまで腰壁パネル１０を壁３の高さ方向に支柱２０を設置する箇所を空けて列設すると共に、壁面２に接着して、互いに平行な複数の垂直方向の目地部１２を有する腰壁の基部を構成する。次に、腰壁基部を構成する最下端部の腰壁パネル１０の下端表面に幅木材３１を横設する。
【００３３】
次に、予め腰壁パネル１０間に空けておいたスペースに、支柱２０の凹溝２３を嵌装すると共に、段部２５によって腰壁パネル１０の端部を覆い、適宜間隔をおいて凹溝２３の底部２４を貫通する取付ねじ３０を支柱２０及び壁面３にねじ結合して支柱２０を固定する。なお、腰壁の基部の構成と同時に支柱２０を固定し、その後、腰壁パネル１０及び支柱２０の下端表面に幅木材３１を横設するようにしてもよい。
【００３４】
次に、手摺の取付高さに合わせて切断された下方カバー６０Ｂを支柱２０の長手方向の端部側から挿入して摺動させて下端を幅木材３１の上辺に当接させた状態に嵌装する。
【００３５】
次に、手摺ブラケット４０を支柱２０の長手方向の端部側から挿入して摺動させて、下方側の固定片４５を、下方カバー６０Ｂの凹条６３内に摺動させて収容すると共に、基部４１の下端を下方カバー６０Ｂの上端に当接する。この状態で、固定片４５のねじ孔４６に押しねじ４８を螺入し、押しねじ４８の先端を凹溝２３の底面に押圧することにより係止片４４を係合片２２に圧接して手摺ブラケット４０を支柱２０に固定する。
【００３６】
次に、上方カバー６０Ａを支柱２０の長手方向の端部側から挿入して摺動させて、上方側の固定片４５を、上方カバー６０Ａの凹条６３内に摺接させて収容すると共に、上方カバー６０Ａの下端を手摺ブラケット４０の基部４１の上端に当接する。これにより、カバー６０（６０Ａ，６０Ｂ）によって手摺ブラケット４０の固定片４５を隠蔽した状態で、カバー６０（６０Ａ，６０Ｂ）の表面と手摺ブラケット４０の基部４１の表面と同一面上に位置される。
【００３７】
なお、手摺ブラケット４０を支柱２０の開口溝２１内に固定した後、手摺ブラケット４０の笠木取付部４７に笠木５０を取り付ける。
【００３８】
そして、腰壁基部の上端部の表面側を若干覆うと共に、上方カバー６０Ａの上端に当接するように見切り材３２を横設して壁面２に接着して施工を終了する。
【００３９】
なお、上記説明では、上方及び下方カバー６０Ａ，６０Ｂを支柱２０の長手方向の端部側から挿入して摺動させて嵌挿する場合について説明したが、上方及び下方カバー６０Ａ，６０Ｂの弾性変形を利用して支柱２０の表面側から嵌挿することも可能である。
【００４０】
＜第２実施形態＞
上記実施形態では、複数の腰壁パネル１０を横方向（水平方向）に列設して腰壁基部を構成する場合について説明したが、腰壁基部の形態は必ずしもこの形態に限定されるものではない。例えば、図９に示すように、長尺の板材にて腰壁パネル１０Ａを形成し、これら腰壁パネル１０Ａを壁３の高さ方向に列設し壁面２に接着して腰壁基部を構成するようにしてもよい。この場合、各腰壁パネル１０Ａは、幅方向の上下端部に、それぞれ略クランク状の接合段部（図示せず）が形成されており、上下に隣接する腰壁パネル１０Ａの接合段部を若干ずらして接合した状態で、壁面２に接着することで、腰壁パネル１０Ａ間に横方向に延びる目地部１２Ａが形成されている。
【００４１】
なお、第２実施形態において、その他の部分は、第１実施形態と同様に形成されるので、同一部分には同一符号を付して説明は省略する。
【００４２】
＜その他の実施形態＞
上記実施形態では、この発明に係る手摺を腰壁と一体に設置する場合について説明したが、この発明に係る手摺は、腰壁以外の一般の壁に設置することができる他、既存の壁にも後付して設置することも可能である。
【００４３】
また、上記実施形態では、この発明に係る手摺を壁に取り付ける場合について説明したが、独立した手摺にも適用できることは勿論である。例えば図１０に示すように、円柱状に形成されると共に開口部が上記実施形態と同様に形成される支柱２０Ａを床面１上に適宜間隔をおいて立設し、この支柱２０Ａの開口部に、上述と同様に、手摺ブラケット４０とカバー６０を嵌装して、手摺ブラケット４０間に笠木５０を架設することで独立した手摺を形成することができる。なお、この場合、支柱２０Ａ及びカバー６０の上端開口は、キャップ３３によって閉塞されている。
【図面の簡単な説明】
【００４４】
【図１】この発明に係る手摺を設置した腰壁の一例を示す概略斜視図である。
【図２】手摺の取付状態を示す斜視図である。
【図３】図２のＩ−Ｉ線に沿う断面図（ａ）、II−II線に沿う断面図（ｂ）、III−III線に沿う断面図（ｃ）である。
【図４】図２のIV−IV線に沿う断面図である。
【図５】手摺の分解斜視図である。
【図６】この発明における手摺ブラケットの拡大斜視図である。
【図７】腰壁パネルの接合状態を示す断面斜視図である。
【図８】別の腰壁パネルの接合状態を示す断面斜視図である。
【図９】この発明に係る手摺の第２実施形態の要部を示す概略斜視図である。
【図１０】この発明に係る手摺を独立した手摺に適用した場合の一例を示す概略斜視図である。
【符号の説明】
【００４５】
１  床面
２  壁面
２０，２０Ａ  支柱
２１  開口溝
２２  係合片
２３  凹溝
２６  嵌合溝
４０  手摺ブラケット
４１  基部
４２  包囲片
４３  固定部
４４  係止片
４５  固定片
４６  固定孔〈ねじ孔）
４７  笠木取付部
４８  押しねじ（ねじ部材）
６０  カバー
６０Ａ  上方カバー
６０Ｂ  下方カバー
【図１】
2005127022.tif 000003
【図２】
2005127022.tif 000004
【図３】
2005127022.tif 000005
【図４】
2005127022.tif 000006
【図５】
2005127022.tif 000007
【図６】
2005127022.tif 000008
【図７】
2005127022.tif 000009
【図８】
2005127022.tif 000010
【図９】
2005127022.tif 000011
【図１０】
2005127022.tif 000012